(57)【要約】【課題】割引情報が反映された駐車料金をＥＴＣシステムによりキャッシュレス決済することができる駐車場サーバを提供する。【解決手段】入場ＥＴＣ路側器からＥＴＣ情報を受信し、利用者が所持する可搬メディアからＥＴＣ情報と関連する利用者情報を受信し、店舗に関連する店舗端末から利用者情報と関連する割引情報を受信し、出場ＥＴＣ路側器からＥＴＣ情報を受信し、所定のサーバに割引情報に基づいた駐車料金の請求情報を送信するデータ送受信部と、入場ＥＴＣ路側器から受信したＥＴＣ情報と利用者情報を紐づけて第１エントリとして記憶する第１紐づけ部と、入場ＥＴＣ路側器から受信したＥＴＣ情報と利用者情報と割引情報を紐づけて第２エントリとして記憶する第２紐づけ部と、出場ＥＴＣ路側器から受信したＥＴＣ情報に基づいて検索された第２エントリの割引情報に基づいて請求情報を生成する請求情報生成部を含む。【選択図】図２
2018181302.tif 000002
【特許請求の範囲】
【請求項１】
駐車場の入場口に設けられた入場ＥＴＣ路側器からＥＴＣ情報を受信し、利用者が所持する可搬メディアから前記ＥＴＣ情報と関連する利用者情報を受信し、店舗に関連する店舗端末から前記利用者情報と関連する割引情報を受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と前記利用者情報を紐づけて第１エントリとしてデータベースに記憶する第１紐づけ部と、
前記入場ＥＴＣ路側器から受信した前記ＥＴＣ情報と前記利用者情報と前記割引情報を紐づけて第２エントリとしてデータベースに記憶する第２紐づけ部と、
前記出場ＥＴＣ路側器から受信した前記ＥＴＣ情報に基づいて前記データベースを検索し、検索された前記第２エントリの前記割引情報に基づいて前記請求情報を生成する請求情報生成部を含む
駐車場サーバ。
【請求項２】
請求項１に記載の駐車場サーバであって、
前記可搬メディアが、
情報端末、ＮＦＣチップ搭載媒体、コード記録媒体の何れかである
駐車場サーバ。
【請求項３】
駐車場の入場口に設けられた入場ＥＴＣ路側器からＥＴＣ情報を受信し、前記ＥＴＣ情報と関連する生体認証情報である利用者情報を受信し、店舗に関連する店舗端末から前記利用者情報と関連する割引情報を受信し、駐車場の出場口に設けられた出場ＥＴＣ路側器から前記ＥＴＣ情報を受信し、所定のサーバに前記割引情報に基づいた駐車料金の請求情報を送信するデータ送受信部と、
前記入場ＥＴＣ路側器から受信した前記ＥＴＣ情報と前記利用者情報を紐づけて第１エントリとしてデータベースに記憶する第１紐づけ部と、
前記入場ＥＴＣ路側器から受信した前記ＥＴＣ情報と前記利用者情報と前記割引情報を紐づけて第２エントリとしてデータベースに記憶する第２紐づけ部と、
前記出場ＥＴＣ路側器から受信した前記ＥＴＣ情報に基づいて前記データベースを検索し、検索された前記第２エントリの前記割引情報に基づいて前記請求情報を生成する請求情報生成部を含む
駐車場サーバ。
【請求項４】
請求項１から３の何れかに記載の駐車場サーバであって、
データ送受信部は、
前記ＥＴＣ情報に対応するオーソリ情報を受信する
駐車場サーバ。
【請求項５】
駐車場の入場口に設けられた入場ＥＴＣ路側器と、利用者が所持する可搬メディアと、店舗に関連する店舗端末と、駐車場の出場口に設けられた出場ＥＴＣ路側器と、駐車場サーバと、所定のサーバを含む駐車料金精算システムであって、
前記入場ＥＴＣ路側器は、ＥＴＣ情報を前記駐車場サーバに送信し、
前記可搬メディアは、前記ＥＴＣ情報と関連する利用者情報を前記駐車場サーバに送信し、
前記店舗端末は、前記利用者情報と関連する割引情報を前記駐車場サーバに送信し、
前記出場ＥＴＣ路側器は、前記ＥＴＣ情報を前記駐車場サーバに送信し、
前記駐車場サーバは、
前記ＥＴＣ情報と、前記利用者情報と、前記割引情報を受信し、前記所定のサーバに前記割引情報に基づいた駐車料金の請求情報を送信するデータ送受信部と、
前記入場ＥＴＣ路側器から受信した前記ＥＴＣ情報と前記利用者情報を紐づけて第１エントリとしてデータベースに記憶する第１紐づけ部と、
前記入場ＥＴＣ路側器から受信した前記ＥＴＣ情報と前記利用者情報と前記割引情報を紐づけて第２エントリとしてデータベースに記憶する第２紐づけ部と、
前記出場ＥＴＣ路側器から受信した前記ＥＴＣ情報に基づいて前記データベースを検索し、検索された前記第２エントリの前記割引情報に基づいて前記請求情報を生成する請求情報生成部を含む
駐車料金精算システム。
【請求項６】
請求項５に記載の駐車料金精算システムであって、
前記可搬メディアが、
情報端末、ＮＦＣチップ搭載媒体、コード記録媒体の何れかである
駐車料金精算システム。
【請求項７】
駐車場の入場口に設けられた入場ＥＴＣ路側器と、利用者が所持する可搬メディアと、店舗に関連する店舗端末と、駐車場の出場口に設けられた出場ＥＴＣ路側器と、駐車場サーバが実行する駐車料金精算方法であって、
前記入場ＥＴＣ路側器は、ＥＴＣ情報を前記駐車場サーバに送信し、
前記可搬メディアは、前記ＥＴＣ情報と関連する利用者情報を前記駐車場サーバに送信し、
前記駐車場サーバは、前記入場ＥＴＣ路側器から受信した前記ＥＴＣ情報と前記利用者情報を紐づけて第１エントリとしてデータベースに記憶し、
前記店舗端末は、前記利用者情報と関連する割引情報を前記駐車場サーバに送信し、
前記駐車場サーバは、前記入場ＥＴＣ路側器から受信した前記ＥＴＣ情報と前記利用者情報と前記割引情報を紐づけて第２エントリとしてデータベースに記憶し、
前記出場ＥＴＣ路側器は、前記ＥＴＣ情報を前記駐車場サーバに送信し、
前記駐車場サーバは、前記出場ＥＴＣ路側器から受信した前記ＥＴＣ情報に基づいて前記データベースを検索し、検索された前記第２エントリの前記割引情報に基づいて駐車料金の請求情報を生成し、
前記駐車場サーバは、所定のサーバに前記請求情報を送信する
駐車料金精算方法。
【請求項８】
請求項７に記載の駐車料金精算方法であって、
前記可搬メディアが、
情報端末、ＮＦＣチップ搭載媒体、コード記録媒体の何れかである
駐車料金精算方法。
【請求項９】
コンピュータを、請求項１から４の何れかに記載の駐車場サーバとして機能させるプログラム。
【発明の詳細な説明】
【技術分野】
【０００１】
本発明は、駐車場サーバ、駐車料金精算システム、駐車料金精算方法、プログラムに関する。
【背景技術】
【０００２】
ＥＴＣ２．０は、道路沿いに設置されたＩＴＳスポットと対応車載器（ＤＳＲＣ通信対応機）との相互通信により、高度な支援を提供するサービスである。
【０００３】
国土交通省は、ＥＴＣ２．０を様々な民間サービスに利用する計画を発表している（非特許文献１）。民間サービスの一例として、公共駐車場決済サービスがある。このサービスでは、事前登録の手続きによって公共駐車場のゲートをキャッシュレス、チケットレスでスムーズに通過できるようにすることを目指している。
【先行技術文献】
【非特許文献】
【０００４】
【非特許文献１】国土交通省、“ＥＴＣ２．０  広がる民間サービス”、［online］、国土交通省、［平成 29年2月 23日検索］、インターネット<URL:http://www.mlit.go.jp/road/ITS/j-html/etc2/minkan.html>
【発明の概要】
【発明が解決しようとする課題】
【０００５】
例えば店舗併設型駐車場の決済をＥＴＣによるキャッシュレス決済としようとすると、店舗利用などで利用者が獲得した駐車料金の割引情報を決済情報に反映することができない。これは、既存の店舗−駐車場間で構築されている割引サービスがＥＴＣ決済システムとリンクしていないからである。従って、上述の公共駐車場決済サービスは、割引サービスを有さない駐車場でしか利用できないという課題があった。
【０００６】
そこで本発明では、割引情報が反映された駐車料金をＥＴＣシステムによりキャッシュレス決済することができる駐車場サーバを提供することを目的とする。
【課題を解決するための手段】
【０００７】
本発明の駐車場サーバは、データ送受信部と、第１紐づけ部と、第２紐づけ部と、請求情報生成部を含む。
【０００８】
データ送受信部は、駐車場の入場口に設けられた入場ＥＴＣ路側器からＥＴＣ情報を受信し、利用者が所持する可搬メディアからＥＴＣ情報と関連する利用者情報を受信し、店舗に関連する店舗端末から利用者情報と関連する割引情報を受信し、駐車場の出場口に設けられた出場ＥＴＣ路側器からＥＴＣ情報を受信し、所定のサーバに割引情報に基づいた駐車料金の請求情報を送信する。
【０００９】
第１紐づけ部は、入場ＥＴＣ路側器から受信したＥＴＣ情報と利用者情報を紐づけて第１エントリとしてデータベースに記憶する。第２紐づけ部は、入場ＥＴＣ路側器から受信したＥＴＣ情報と利用者情報と割引情報を紐づけて第２エントリとしてデータベースに記憶する。請求情報生成部は、出場ＥＴＣ路側器から受信したＥＴＣ情報に基づいてデータベースを検索し、検索された第２エントリの割引情報に基づいて請求情報を生成する。
【発明の効果】
【００１０】
本発明の駐車場サーバによれば、割引情報が反映された駐車料金をＥＴＣシステムによりキャッシュレス決済することができる。
【図面の簡単な説明】
【００１１】
【図１】実施例１の駐車料金精算システムの構成を示すブロック図。
【図２】実施例１の駐車場サーバの構成を示すブロック図。
【図３】実施例１の駐車料金精算システムのＥＴＣ情報関連動作を示すシーケンス図。
【図４】実施例１の駐車料金精算システムのエントリ生成動作を示すシーケンス図。
【図５】実施例１の駐車料金精算システムの請求情報関連動作を示すシーケンス図。
【図６】実施例２の駐車料金精算システムの構成を示すブロック図。
【図７】実施例２の駐車料金精算システムのエントリ生成動作を示すシーケンス図。
【図８】実施例２の駐車料金精算システムのエントリ生成動作の変形例を示すシーケンス図。
【図９】実施例３の駐車料金精算システムの構成を示すブロック図。
【図１０】実施例３の駐車料金精算システムのエントリ生成動作を示すシーケンス図。
【図１１】実施例４の駐車料金精算システムの構成を示すブロック図。
【図１２】実施例４の駐車料金精算システムのエントリ生成動作を示すシーケンス図。
【図１３】実施例５の駐車料金精算システムの構成を示すブロック図。
【図１４】実施例５の駐車料金精算システムのエントリ生成動作を示すシーケンス図。
【図１５】実施例６の駐車料金精算システムの構成を示すブロック図。
【図１６】実施例６の駐車料金精算システムのエントリ生成動作を示すシーケンス図。
【発明を実施するための形態】
【００１２】
以下、本発明の実施の形態について、詳細に説明する。なお、同じ機能を有する構成部には同じ番号を付し、重複説明を省略する。
【００１３】
＜用語の説明：可搬メディア＞
以下の実施例１〜５に登場する「可搬メディア」とは、人間が持ち運ぶことが可能であって、何らかのハードウェアに情報を読み取らせることが可能、あるいは何らかのハードウェアに情報を送信することが可能な媒体全般を表す概念である。可搬メディアの具体例として、例えば以下のようなものがある。
【００１４】
【表１】
2018181302.tif 000003
【００１５】
実施例１、２、５では、情報端末が可搬メディアとして機能する。実施例３では、ＮＦＣチップ搭載媒体が可搬メディアとして機能する。実施例４では、コード記録媒体が可搬メディアとして機能する。
【００１６】
＜用語の説明：利用者情報＞
実施例１〜５において利用者情報は、前述の可搬メディアに記録、格納されている情報である。可搬メディアが情報端末である場合、利用者情報として例えば端末識別情報（例えばＵＤＩＤ、デバイスＩＤ、ＩＤＦＶ、シリアル番号、ＭＡＣアドレスなど）が用いられる。あるいは情報端末が受信または生成したＱＲコード（登録商標）情報を利用者情報としてもよい。可搬メディアがＮＦＣチップ搭載媒体である場合、その媒体から取得できる情報（ＮＦＣ情報）を利用者情報としてもよい。可搬メディアがコード記録媒体である場合、その媒体の記録内容を利用者情報としてもよい。一方、実施例６において利用者情報は生体認証情報である（詳細は後述）。
【実施例１】
【００１７】
＜駐車料金精算システム１＞
以下、図１を参照して実施例１の駐車料金精算システム１の構成を説明する。同図に示すように本実施例の駐車料金精算システム１は、ＥＴＣカード１０１を挿入したＥＴＣ車載器１０と、入場ＥＴＣ路側器１１と、駐車場サーバ１２と、代行会社サーバ１３と、クレジットカード会社サーバ１４と、情報端末１５と、第１アクセスポイント１６と、第２アクセスポイント１７と、店舗端末１８と、出場ＥＴＣ路側器１９と、これらの機器間の通信を担うネットワーク８１，８２，８３，８４，８５，８６を含んで構成される。
【００１８】
なお、本実施例の駐車料金精算システム１において対象とされる駐車場は、複数あってもよい。また駐車場内に入場口、出場口が複数設けられていてもよい。また対象とされる店舗は複数あってもよい。
【００１９】
ＥＴＣ車載器１０は、利用者９に関連する車両に搭載されているものとする。ＥＴＣカード１０１は利用者９と関連する（図の破線参照）。関連のシンプルな例として、ＥＴＣカード１０１は利用者９の所有物である。入場ＥＴＣ路側器１１は、利用者９が利用する駐車場の入場口に設けられているものとする。駐車場サーバ１２は、利用者９が利用する駐車場を管理するサーバ装置であるものとする。代行会社サーバ１３はＥＴＣカード１０１のＥＴＣカード情報とクレジットカード情報の関連付けを担う代行会社が管理するサーバ装置であるものとする。クレジットカード会社サーバ１４は、ＥＴＣカード１０１によるクレジットカード決済を担うクレジットカード会社が管理するサーバ装置であるものとする。なお、セキュリティの観点から、ＥＴＣカード情報、クレジットカード情報は、暗号化された情報としてもよいし、ハッシュ化された情報としてもよい。また、ＥＴＣカード情報、クレジットカード情報の代替情報、代替コードをＥＴＣカード情報、クレジットカード情報の代わりに用いてもよい。情報端末１５は、利用者９と関連する（図の破線参照）。関連のシンプルな例として、情報端末１５は利用者９の所有物である。本実施例において情報端末１５は可搬メディアとして機能し、利用者９は情報端末１５を常時携帯しているものとする。第１アクセスポイント１６は、利用者９が利用する駐車場の入場口に、入場ＥＴＣ路側器１１に近接して（図の破線参照）設けられているものとする。第２アクセスポイント１７は、利用者９が利用する店舗などに設けられているものとする。店舗端末１８は、利用者９が利用する店舗に関連するものとする。関連のシンプルな例として、店舗端末１８は、該当する店舗の設備である。出場ＥＴＣ路側器１９は、利用者９が利用する駐車場の出場口に設けられているものとする。
【００２０】
ネットワーク８１は、ＥＴＣ専用の無線通信方式のネットワークであって、ＥＴＣ車載器１０−ＥＴＣ路側器１１，１９間の通信を担うネットワークであるものとする。ネットワーク８２は、ＥＴＣ路側器１１，１９−駐車場サーバ１２間の通信を担う無線または有線のネットワークである。ネットワーク８３は、駐車場サーバ１２と代行会社サーバ１３とクレジットカード会社サーバ１４などをつなぐ大規模なネットワークである。ネットワーク８４は、情報端末１５−アクセスポイント１６，１７間の無線通信を担うネットワークである。ネットワーク８５は、第１アクセスポイント１６−駐車場サーバ１２間の通信を担う無線または有線のネットワークである。ネットワーク８６は、店舗端末１８−駐車場サーバ１２間の通信を担う無線または有線のネットワークである。
【００２１】
＜駐車場サーバ１２＞
以下、図２を参照して本実施例の駐車場サーバ１２の構成について説明する。同図に示すように本実施例の駐車場サーバ１２は、データ送受信部１２１、第１紐づけ部１２２、第２紐づけ部１２３、請求情報生成部１２４、データベース１２５を含む構成である。
【００２２】
＜駐車場サーバ１２の動作の概要＞
以下、図３、図４、図５を参照して駐車場サーバ１２の動作の概要を説明する。なお、図３、図４、図５は続く駐車料金精算システム１の各動作の説明において再度参照する。
【００２３】
データ送受信部１２１は、入場ＥＴＣ路側器１１からＥＴＣ情報を受信し（Ｓ１２ａ）、データベース１２５に記憶する。またデータ送受信部１２１は、利用者９が所持する可搬メディア（情報端末１５）からＥＴＣ情報と関連する利用者情報（端末識別情報）を受信する（Ｓ１２ｄ）。この場合、第１紐づけ部１２２は、入場ＥＴＣ路側器１１から受信したＥＴＣ情報と利用者情報を紐づけて第１エントリとしてデータベース１２５に記憶する（Ｓ１２ｅ）。
【００２４】
またデータ送受信部１２１は、店舗端末１８から利用者情報と関連する割引情報を受信する（Ｓ１２ｆ）。この場合、第２紐づけ部１２３は、入場ＥＴＣ路側器１１から受信したＥＴＣ情報と利用者情報と割引情報を紐づけて第２エントリとしてデータベース１２５に記憶する（Ｓ１２ｇ）。
【００２５】
またデータ送受信部１２１は、出場ＥＴＣ路側器１９からＥＴＣ情報を受信する（Ｓ１２ｈ）。この場合、請求情報生成部１２４は、出場ＥＴＣ路側器１９から受信したＥＴＣ情報に基づいてデータベース１２５を検索し、検索された第２エントリの割引情報に基づいて駐車料金の請求情報を生成する（Ｓ１２ｉ）。データ送受信部１２１は、所定のサーバ（代行会社サーバ１３）に請求情報を送信する（Ｓ１２ｊ）。
【００２６】
＜駐車料金精算システム１のＥＴＣ情報関連動作＞
以下、図３を参照して本実施例の駐車料金精算システム１のＥＴＣ情報関連動作について説明する。利用者９の自動車が駐車場の入場口（入口）に接近するとＥＴＣによる通信がスタートする。利用者９の自動車のＥＴＣ車載器１０は、ＥＴＣ情報を発信する（Ｓ１０ａ）。ステップＳ１０ａで発信されるＥＴＣ情報は、前述したＥＴＣカード情報であってもよいし、車載器番号であってもよいし、ＷＣＮ（ワイヤレスコールナンバー）であってもよいし、ＥＴＣカード情報と車載器番号とＷＣＮのうち二つ以上を含んでいてもよい。
【００２７】
入場ＥＴＣ路側器１１は、当該ＥＴＣ情報を受信する（Ｓ１１ａ）。入場ＥＴＣ路側器１１は、受信したＥＴＣ情報を駐車場サーバ１２に送信する（Ｓ１１ｂ）。駐車場サーバ１２のデータ送受信部１２１は、当該ＥＴＣ情報を受信し（Ｓ１２ａ）、データベース１２５に記憶する。駐車場サーバ１２のデータ送受信部１２１は、オーソリ情報取得のために、受信したＥＴＣ情報を代行会社サーバ１３に送信する（Ｓ１２ｂ）。代行会社サーバ１３は当該ＥＴＣ情報を受信する（Ｓ１３ａ）。代行会社サーバ１３は受信したＥＴＣ情報と関連付いたクレジットカード情報をクレジットカード会社サーバ１４に送信する（Ｓ１３ｂ）。クレジットカード会社サーバ１４は、当該クレジットカード情報を受信する（Ｓ１４ａ）。クレジットカード会社サーバ１４は、受信したクレジットカード情報と関連付いたオーソリ情報を代行会社サーバ１３に送信する（Ｓ１４ｂ）。代行会社サーバ１３は当該オーソリ情報を受信する（Ｓ１３ｃ）。代行会社サーバ１３は受信したオーソリ情報を駐車場サーバ１２に送信する（Ｓ１３ｄ）。駐車場サーバ１２のデータ送受信部１２１は、当該オーソリ情報を受信し（Ｓ１２ｃ）、ＥＴＣ情報と紐づけてデータベース１２５に記憶する。以上がＥＴＣ情報関連動作である。上述のＥＴＣ情報関連動作により、入場時にクレジットカードのオーソリ情報を取得することができるため、出場時に決済をスムーズに行うことができる。なおオーソリ情報の取得は出場時に行うことも可能である。この場合、ステップＳ１２ｂ〜Ｓ１２ｃの処理を後述する図５のステップＳ１２ｈとステップＳ１２ｉの間に挿入すればよい。
【００２８】
＜駐車料金精算システム１のエントリ生成動作＞
以下、図４を参照して本実施例の駐車料金精算システム１のエントリ生成動作について説明する。利用者９の自動車が駐車場の入場口に接近すると情報端末１５と第１アクセスポイント１６の通信がスタートする。利用者９の情報端末１５は、端末識別情報を発信する（Ｓ１５ａ）。第１アクセスポイント１６は、当該端末識別情報を受信する（Ｓ１６ａ）。第１アクセスポイント１６は、受信した端末識別情報を駐車場サーバ１２に送信する（Ｓ１６ｂ）。駐車場サーバ１２のデータ送受信部１２１は、当該端末識別情報を受信する（Ｓ１２ｄ）。駐車場サーバ１２の第１紐づけ部１２２は、端末識別情報の受信時刻と、データベース１２５に記憶されたＥＴＣ情報の受信時刻を比較することなどにより、当該端末識別情報と紐づけられるべきＥＴＣ情報をデータベース１２５から検索し、検索されたＥＴＣ情報と受信した端末識別情報を紐づけて第１エントリとしてデータベース１２５に記憶する（Ｓ１２ｅ）。
【００２９】
なお、第１エントリとして紐づけられたＥＴＣ情報と端末識別情報は、取得された場所や時刻、すなわち駐車場側の機器配置構成などによって関連している（関連付けられている）といえる。第１紐づけ部１２２は、このように既に存在する二つのデータの関連性をデータベース検索によって見出し、これらの関連性を明確に利用するためにこれらを紐づけて第１エントリとして記憶したということができる。
【００３０】
一方、利用者９の情報端末１５が店舗に近接すると情報端末１５と第２アクセスポイント１７の通信がスタートする。利用者９の情報端末１５は、端末識別情報を発信する（Ｓ１５ｂ）。第２アクセスポイント１７は当該端末識別情報を受信する（Ｓ１７ａ）。第２アクセスポイント１７は受信した端末識別情報を店舗端末１８に送信する（Ｓ１７ｂ）。店舗端末１８は、当該端末識別情報を受信する（Ｓ１８ａ）。店舗の担当者は、利用者９の行動（例えば店舗の利用、店舗内での購入、店舗内での飲食、これらの金額）を前述の端末識別情報と関連付けて、店舗端末１８に入力する。この関連付けに際し、必要であれば情報端末１５、店舗端末１８に所定のアプリケーションを予めインストールしておいてもよい。店舗端末１８は、入力された利用者９の行動に基づいて割引情報を生成する（Ｓ１８ｂ）。店舗端末１８は、生成した割引情報を端末識別情報と関連付けて駐車場サーバ１２に送信する（Ｓ１８ｃ）。駐車場サーバ１２のデータ送受信部１２１は、店舗端末１８から端末識別情報と、これに関連する割引情報を受信する（Ｓ１２ｆ）。第２紐づけ部１２３は、データベース１２５を検索して該当の端末識別情報を含む第１エントリを取得し、第１エントリに含まれるＥＴＣ情報と端末識別情報に、受信した割引情報を紐づけて第２エントリとしてデータベース１２５に記憶する（Ｓ１２ｇ）。以上がエントリ生成動作である。
【００３１】
＜駐車料金精算システム１の請求情報関連動作＞
以下、図５を参照して本実施例の駐車料金精算システム１の請求情報関連動作について説明する。利用者９の自動車が駐車場の出場口（出口）に接近するとＥＴＣによる通信がスタートする。利用者９の自動車のＥＴＣ車載器１０は、ＥＴＣ情報を発信する（Ｓ１０ｂ）。出場ＥＴＣ路側器１９は、当該ＥＴＣ情報を受信する（Ｓ１９ａ）。出場ＥＴＣ路側器１９は、受信したＥＴＣ情報を駐車場サーバ１２に送信する（Ｓ１９ｂ）。駐車場サーバ１２のデータ送受信部１２１は、当該ＥＴＣ情報を受信する（Ｓ１２ｈ）。請求情報生成部１２４は、出場ＥＴＣ路側器１９から受信したＥＴＣ情報に基づいてデータベース１２５を検索し、検索された第２エントリの割引情報に基づいて駐車料金の請求情報を生成する（Ｓ１２ｉ）。駐車場サーバ１２のデータ送受信部１２１は、生成した請求情報を代行会社サーバ１３に送信する（Ｓ１２ｊ）。代行会社サーバ１３は、当該請求情報を受信する（Ｓ１３ｅ）。代行会社サーバ１３は、受信した請求情報をクレジットカード会社サーバ１４に送信する（１３ｆ）。クレジットカード会社サーバ１４は、当該請求情報を受信する（Ｓ１４ｃ）。クレジットカード会社サーバ１４は、受信した請求情報に基づいて支払処理を実行する（Ｓ１４ｄ）。以上が請求情報関連動作である。
【実施例２】
【００３２】
＜駐車料金精算システム２＞
以下、図６を参照して実施例２の駐車料金精算システム２の構成を説明する。同図に示すように本実施例の駐車料金精算システム２は、ＥＴＣカード１０１を挿入したＥＴＣ車載器１０と、入場ＥＴＣ路側器１１と、駐車場サーバ１２と、代行会社サーバ１３と、クレジットカード会社サーバ１４と、情報端末２５と、第１アクセスポイント１６と、ＱＲコード読取器２７と、店舗端末２８と、出場ＥＴＣ路側器１９と、これらの機器間の通信を担うネットワーク８１，８２，８３，８４，８５，８６を含んで構成される。
【００３３】
実施例１との相違点は、実施例１における情報端末１５が本実施例において情報端末２５に変更されている点、実施例１における第２アクセスポイント１７が本実施例においてＱＲコード読取器２７に変更されている点、実施例１における店舗端末１８が本実施例において店舗端末２８に変更されている点である。
【００３４】
情報端末２５は、利用者９と関連する（図の破線参照）。本実施例において情報端末２５は可搬メディアとして機能し、利用者９は情報端末２５を常時携帯しているものとする。ＱＲコード読取器２７は、利用者９が利用する店舗などに設けられているものとする。店舗端末２８は、利用者９が利用する店舗に関連するものとする。
【００３５】
＜駐車場サーバ１２、駐車場サーバ１２の動作の概要＞
実施例１と同様であるため説明を割愛。以下の実施例でも同様である。
【００３６】
＜駐車料金精算システム２のＥＴＣ情報関連動作＞
実施例１と同様であるため説明を割愛。以下の実施例でも同様である。
【００３７】
＜駐車料金精算システム２のエントリ生成動作＞
以下、図７を参照して本実施例の駐車料金精算システム２のエントリ生成動作について説明する。利用者９の自動車が駐車場の入場口に接近すると情報端末２５と第１アクセスポイント１６の通信がスタートし、ステップＳ１５ａ，Ｓ１６ａ，Ｓ１６ｂ，Ｓ１２ｄ，Ｓ１２ｅが実施例１と同様に実行される。
【００３８】
利用者９の情報端末２５は、端末識別情報を記録したＱＲコードを予め生成している（Ｓ２５ａ）。利用者９は、店舗における行動（例えば店舗の利用、店舗内での購入、店舗内での飲食）に伴い、情報端末２５が生成したＱＲコードを情報端末２５の画面に表示させ、ＱＲコード読取器２７に読み取らせる。これがＱＲコード情報の送信動作にあたる（Ｓ２５ｂ）。ＱＲコード読取器２７は当該ＱＲコード情報を受信する（Ｓ２７ａ）。ＱＲコード読取器２７は受信したＱＲコード情報を店舗端末２８に送信する（Ｓ２７ｂ）。店舗端末２８は、当該ＱＲコード情報を受信する（Ｓ２８ａ）。店舗の担当者は、利用者９の行動（例えば店舗の利用、店舗内での購入、店舗内での飲食、これらの金額）をＱＲコード情報と関連付けて、店舗端末２８に入力する。この関連付けに際し、必要であれば情報端末２５、店舗端末２８に所定のアプリケーションを予めインストールしておいてもよい。店舗端末２８は、入力された利用者９の行動に基づいて割引情報を生成する（Ｓ２８ｂ）。店舗端末２８は、生成した割引情報をＱＲコード情報と関連付けて駐車場サーバ１２に送信する（Ｓ２８ｃ）。以下、ステップＳ１２ｆ，Ｓ１２ｇが実施例１と同様に実行される。以上がエントリ生成動作である。
【００３９】
なお、ＱＲコード情報は、駐車場サーバが生成してもよい。例えば、図８に示すように、情報端末２５、駐車場サーバ１２をそれぞれ情報端末２５ｘ、駐車場サーバ１２ｘに変形する。なお、対応するシステムのブロック図は割愛した。ステップＳ１２ｅ実行後、駐車場サーバ１２ｘは、端末識別情報を記録したＱＲコード情報を生成する（Ｓ１２ｘ）。駐車場サーバ１２ｘは、生成したＱＲコード情報を情報端末２５ｘに送信する（Ｓ１２ｙ）。情報端末２５ｘは、ＱＲコード情報を受信する（Ｓ２５ｘ）。
【００４０】
その後、上記と同様に、利用者９は、店舗における行動（例えば店舗の利用、店舗内での購入、店舗内での飲食）に伴い、受信したＱＲコードを情報端末２５ｘの画面に表示させ、ＱＲコード読取器２７に読み取らせる（Ｓ２５ｂ）。ステップＳ２７ａ以降の動作は上記と同様である。
【００４１】
＜駐車料金精算システム２の請求情報関連動作＞
実施例１と同様であるため説明を割愛。以下の実施例でも同様である。
【実施例３】
【００４２】
＜駐車料金精算システム３＞
以下、図９を参照して実施例３の駐車料金精算システム３の構成を説明する。同図に示すように本実施例の駐車料金精算システム３は、ＥＴＣカード１０１を挿入したＥＴＣ車載器１０と、入場ＥＴＣ路側器１１と、駐車場サーバ１２と、代行会社サーバ１３と、クレジットカード会社サーバ１４と、ＮＦＣチップ搭載媒体３５と、第１ＮＦＣ読取器３６と、第２ＮＦＣ読取器３７と、店舗端末３８と、出場ＥＴＣ路側器１９と、これらの機器間の通信を担うネットワーク８１，８２，８３，８５，８６を含んで構成される。実施例１、２において存在したネットワーク８４の役割は本実施例において近接無線通信に代替されているため、本実施例ではネットワーク８４を割愛した。
【００４３】
実施例１との相違点は、実施例１における情報端末１５が本実施例においてＮＦＣチップ搭載媒体３５に変更されている点、実施例１における第１アクセスポイント１６が本実施例において第１ＮＦＣ読取器３６に変更されている点、実施例１における第２アクセスポイント１７が本実施例において第２ＮＦＣ読取器３７に変更されている点、実施例１における店舗端末１８が本実施例において店舗端末３８に変更されている点である。
【００４４】
ＮＦＣチップ搭載媒体３５は、利用者９と関連する（図の破線参照）。関連のシンプルな例として、ＮＦＣチップ搭載媒体３５は利用者９の所有物である。本実施例においてＮＦＣチップ搭載媒体３５は可搬メディアとして機能し、利用者９はＮＦＣチップ搭載媒体３５を常時携帯しているものとする。第１ＮＦＣ読取器３６は、利用者９が利用する駐車場の入場口に、入場ＥＴＣ路側器１１に近接して（図の破線参照）設けられているものとする。第２ＮＦＣ読取器３７は、利用者９が利用する店舗などに設けられているものとする。店舗端末３８は、利用者９が利用する店舗に関連するものとする。
【００４５】
＜駐車料金精算システム３のエントリ生成動作＞
以下、図１０を参照して本実施例の駐車料金精算システム３のエントリ生成動作について説明する。利用者９の自動車が駐車場の入場口に接近したとき、利用者９は、所持しているＮＦＣチップ搭載媒体３５に記録されたＮＦＣ情報を、入場口付近に設置された第１ＮＦＣ読取器３６に読み取らせる。これがＮＦＣ情報送信動作にあたる（Ｓ３５ａ）。第１ＮＦＣ読取器３６は、当該ＮＦＣ情報を受信する（Ｓ３６ａ）。第１ＮＦＣ読取器３６は、受信したＮＦＣ情報を駐車場サーバ１２に送信する（Ｓ３６ｂ）。以下、ステップＳ１２ｄ，Ｓ１２ｅが実施例１と同様に実行される。
【００４６】
利用者９は、店舗における行動（例えば店舗の利用、店舗内での購入、店舗内での飲食）に伴い、ＮＦＣチップ搭載媒体３５に記録されたＮＦＣ情報を、店舗に設置された第２ＮＦＣ読取器３７に読み取らせる。これがＮＦＣ情報送信動作にあたる（Ｓ３５ｂ）。第２ＮＦＣ読取器３７は当該ＮＦＣ情報を受信する（Ｓ３７ａ）。第２ＮＦＣ読取器３７は受信したＮＦＣ情報を店舗端末３８に送信する（Ｓ３７ｂ）。店舗端末３８は、当該ＮＦＣ情報を受信する（Ｓ３８ａ）。店舗の担当者は、利用者９の行動（例えば店舗の利用、店舗内での購入、店舗内での飲食、これらの金額）を前述のＮＦＣ情報と関連付けて、店舗端末３８に入力する。この関連付けに際し、必要であれば店舗端末３８に所定のアプリケーションを予めインストールしておいてもよい。店舗端末３８は、入力された利用者９の行動に基づいて割引情報を生成する（Ｓ３８ｂ）。店舗端末３８は、生成した割引情報をＮＦＣ情報と関連付けて駐車場サーバ１２に送信する（Ｓ３８ｃ）。以下、ステップＳ１２ｆ，Ｓ１２ｇが実施例１と同様に実行される。
【００４７】
なお、本実施例のＮＦＣチップ搭載媒体３５は、磁気ストライプカードに代替してもよい。この場合、第１ＮＦＣ読取器３６、第２ＮＦＣ読取器３７はそれぞれ第１磁気コード読取器、第２磁気コード読取器に代替される。
【実施例４】
【００４８】
＜駐車料金精算システム４＞
以下、図１１を参照して実施例４の駐車料金精算システム４の構成を説明する。同図に示すように本実施例の駐車料金精算システム４は、ＥＴＣカード１０１を挿入したＥＴＣ車載器１０と、入場ＥＴＣ路側器１１と、駐車場サーバ１２と、代行会社サーバ１３と、クレジットカード会社サーバ１４と、コード記録媒体４５と、コード記録媒体生成器４６と、コード記録媒体読取器４７と、店舗端末４８と、出場ＥＴＣ路側器１９と、これらの機器間の通信を担うネットワーク８１，８２，８３，８５，８６を含んで構成される。実施例１、２において存在したネットワーク８４の役割は本実施例においてコード記録媒体の生成および読取に代替されているため、本実施例ではネットワーク８４を割愛した。
【００４９】
実施例１との相違点は、実施例１における情報端末１５が本実施例においてコード記録媒体４５に変更されている点、実施例１における第１アクセスポイント１６が本実施例においてコード記録媒体生成器４６に変更されている点、実施例１における第２アクセスポイント１７が本実施例においてコード記録媒体読取器４７に変更されている点、実施例１における店舗端末１８が本実施例において店舗端末４８に変更されている点である。
【００５０】
コード記録媒体４５の典型的な例として考えられるのは、バーコードやＱＲコードなどを印刷した紙や磁気ストライプカードである。本実施例においてコード記録媒体４５は可搬メディアとして機能する。利用者９はコード記録媒体４５を駐車場の入場口で取得し、以降はこれを常に携帯しておく。コード記録媒体生成器４６は、利用者９が利用する駐車場の入場口に、入場ＥＴＣ路側器１１に近接して（図の破線参照）設けられており、入場ＥＴＣ路側器１１と連動するものとする。コード記録媒体読取器４７は、利用者９が利用する店舗などに設けられているものとする。店舗端末４８は、利用者９が利用する店舗に関連するものとする。
【００５１】
＜駐車料金精算システム４のエントリ生成動作＞
以下、図１２を参照して本実施例の駐車料金精算システム４のエントリ生成動作について説明する。利用者９の自動車が駐車場の入場口に接近し、ＥＴＣによる通信が実行されたとき、コード記録媒体生成器４６は、コード記録媒体４５を生成する（Ｓ４６ａ）。コード記録媒体生成器４６は、コード記録媒体４５に記録された記録内容を駐車場サーバ１２に送信する（Ｓ４６ｂ）。これにより、ＥＴＣ情報と記録内容の関連付けが事実上終わっている。以下、ステップＳ１２ｄ，Ｓ１２ｅが実施例１と同様に実行される。
【００５２】
利用者９は、生成されたコード記録媒体４５を取得し、以降はこれを携帯する。利用者９は、店舗における行動（例えば店舗の利用、店舗内での購入、店舗内での飲食）に伴い、コード記録媒体４５に記録された記録内容を、店舗に設置されたコード記録媒体読取器４７に読み取らせる。これが記録内容送信動作にあたる（Ｓ４５ａ）。コード記録媒体読取器４７は当該記録内容を受信する（Ｓ４７ａ）。コード記録媒体読取器４７は受信した記録内容を店舗端末４８に送信する（Ｓ４７ｂ）。店舗端末４８は、当該記録内容を受信する（Ｓ４８ａ）。店舗の担当者は、利用者９の行動（例えば店舗の利用、店舗内での購入、店舗内での飲食、これらの金額）を前述の記録内容と関連付けて、店舗端末４８に入力する。この関連付けに際し、必要であれば店舗端末４８に所定のアプリケーションを予めインストールしておいてもよい。店舗端末４８は、入力された利用者９の行動に基づいて割引情報を生成する（Ｓ４８ｂ）。店舗端末４８は、生成した割引情報を記録内容と関連付けて駐車場サーバ１２に送信する（Ｓ４８ｃ）。以下、ステップＳ１２ｆ，Ｓ１２ｇが実施例１と同様に実行される。
【００５３】
なお、図１１に破線で示すように、コード記録媒体４５とコード記録媒体読取器４７の間に、情報端末４５ａを介在させてもよい。具体的には、まず情報端末４５ａがコード記録媒体４５の記録内容を読取り、読み取った記録内容を画面に表示する。コード記録媒体読取器４７は、情報端末４５ａの画面に表示された記録内容を読み取る。このとき情報端末４５ａに専用のアプリケーションをインストールしておき、過去に読み取った記録内容をアプリケーションに管理させ、過去に読み取った記録内容を複数回再利用できるように構成してもよい。
【実施例５】
【００５４】
＜駐車料金精算システム５＞
以下、図１３を参照して実施例５の駐車料金精算システム５の構成を説明する。同図に示すように本実施例の駐車料金精算システム５は、ＥＴＣカード１０１を挿入したＥＴＣ車載器１０と、入場ＥＴＣ路側器１１と、駐車場サーバ１２と、代行会社サーバ１３と、クレジットカード会社サーバ１４と、情報端末５５と、第１アクセスポイント１６と、電子スタンプ生成器５７と、店舗端末５８と、出場ＥＴＣ路側器１９と、これらの機器間の通信を担うネットワーク８１，８２，８３，８４，８５，８６を含んで構成される。
【００５５】
実施例１との相違点は、実施例１における情報端末１５が本実施例において情報端末５５に変更されている点、実施例１における第２アクセスポイント１７が本実施例において電子スタンプ生成器５７に変更されている点、実施例１における店舗端末１８が本実施例において店舗端末５８に変更されている点である。
【００５６】
情報端末５５は、利用者９と関連する（図の破線参照）。本実施例において情報端末５５は可搬メディアとして機能し、利用者９は情報端末５５を常時携帯しているものとする。電子スタンプ生成器５７は、利用者９が利用する店舗などに設けられているものとする。店舗端末５８は、利用者９が利用する店舗に関連するものとする。
【００５７】
＜駐車料金精算システム５のエントリ生成動作＞
以下、図１４を参照して本実施例の駐車料金精算システム５のエントリ生成動作について説明する。利用者９の自動車が駐車場の入場口に接近すると情報端末５５と第１アクセスポイント１６の通信がスタートし、ステップＳ１５ａ，Ｓ１６ａ，Ｓ１６ｂ，Ｓ１２ｄ，Ｓ１２ｅが実施例１と同様に実行される。
【００５８】
店舗の担当者は、利用者９の行動（例えば店舗の利用、店舗内での購入、店舗内での飲食、これらの金額）を店舗端末５８に入力する。店舗端末５８は、入力された利用者９の行動に基づいて割引情報を生成する（Ｓ５８ａ）。店舗端末５８は、生成した割引情報と店舗識別情報を駐車場サーバ１２に送信する（Ｓ５８ｂ）。駐車場サーバ１２は、割引情報と店舗識別情報を受信する（Ｓ１２ｈ）。電子スタンプ生成器５７は、予め定めたスタンプ情報（店舗識別情報などを含んでいる）に基づいて電子スタンプを生成する（Ｓ５７ａ）。店舗の担当者は、電子スタンプを利用者９の情報端末５５に読み取らせる。情報端末５５は当該電子スタンプを認識してスタンプ情報を取得する（Ｓ５５ａ）。情報端末５５は、取得したスタンプ情報を端末識別情報と関連付けて駐車場サーバ１２に送信する（Ｓ５５ｂ）。以下、ステップＳ１２ｆ、Ｓ１２ｇが実施例１と同様に実行される。なお、スタンプ情報と店舗識別情報が予め紐づけられ、駐車場サーバ１２に記憶されている場合には、上述のスタンプ情報は、店舗識別情報を含んでいなくてもよい。以上がエントリ生成動作である。
【実施例６】
【００５９】
＜駐車料金精算システム６＞
以下、図１５を参照して実施例６の駐車料金精算システム６の構成を説明する。同図に示すように本実施例の駐車料金精算システム６は、ＥＴＣカード１０１を挿入したＥＴＣ車載器１０と、入場ＥＴＣ路側器１１と、駐車場サーバ１２と、代行会社サーバ１３と、クレジットカード会社サーバ１４と、第１生体認証情報読取器６６と、第２生体認証情報読取器６７と、店舗端末６８と、出場ＥＴＣ路側器１９と、これらの機器間の通信を担うネットワーク８１，８２，８３，８５，８６を含んで構成される。実施例１、２において存在したネットワーク８４の役割は本実施例において生体認証情報の読取に代替されているため、本実施例ではネットワーク８４を割愛した。
【００６０】
実施例１との相違点は、実施例１における情報端末１５に該当する機器が本実施例において存在しない点、実施例１における第１アクセスポイント１６が本実施例において第１生体認証情報読取器６６に変更されている点、実施例１における第２アクセスポイント１７が本実施例において第２生体認証情報読取器６７に変更されている点、実施例１における店舗端末１８が本実施例において店舗端末６８に変更されている点である。
【００６１】
本実施例では可搬メディアを用いない。本実施例では、生体認証情報（例えば指紋情報、虹彩情報、静脈情報など）を利用者情報として用いる。
【００６２】
第１生体認証情報読取器６６は、利用者９が利用する駐車場の入場口に、入場ＥＴＣ路側器１１に近接して（図の破線参照）設けられているものとする。第２生体認証情報読取器６７は、利用者９が利用する店舗などに設けられているものとする。店舗端末６８は、利用者９が利用する店舗に関連するものとする。
【００６３】
＜駐車料金精算システム６のエントリ生成動作＞
以下、図１６を参照して本実施例の駐車料金精算システム６のエントリ生成動作について説明する。利用者９の自動車が駐車場の入場口に接近したとき、利用者９は、自身の生体認証情報を、入場口付近に設置された第１生体認証情報読取器６６に読み取らせる。これが生体認証情報提供動作にあたる（Ｓ９ａ）。第１生体認証情報読取器６６は、当該生体認証情報を読み取る（Ｓ６６ａ）。第１生体認証情報読取器６６は、読み取った生体認証情報を駐車場サーバ１２に送信する（Ｓ６６ｂ）。以下、ステップＳ１２ｄ，Ｓ１２ｅが実施例１と同様に実行される。
【００６４】
利用者９は、店舗における行動（例えば店舗の利用、店舗内での購入、店舗内での飲食）に伴い、自身の生体認証情報情報を、店舗に設置された第２生体認証情報読取器６７に読み取らせる。これが生体認証情報提供動作にあたる（Ｓ９ｂ）。第２生体認証情報読取器６７は当該生体認証情報を読み取る（Ｓ６７ａ）。第２生体認証情報読取器６７は読み取った生体認証情報を店舗端末６８に送信する（Ｓ６７ｂ）。店舗端末６８は、当該生体認証情報を受信する（Ｓ６８ａ）。店舗の担当者は、利用者９の行動（例えば店舗の利用、店舗内での購入、店舗内での飲食、これらの金額）を前述の生体認証情報と関連付けて、店舗端末６８に入力する。この関連付けに際し、必要であれば店舗端末６８に所定のアプリケーションを予めインストールしておいてもよい。店舗端末６８は、入力された利用者９の行動に基づいて割引情報を生成する（Ｓ６８ｂ）。店舗端末６８は、生成した割引情報を生体認証情報と関連付けて駐車場サーバ１２に送信する（Ｓ６８ｃ）。以下、ステップＳ１２ｆ，Ｓ１２ｇが実施例１と同様に実行される。
【００６５】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００６６】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００６７】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００６８】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００６９】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００７０】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００７１】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００７２】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００７３】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2018181302.tif 000004
【図２】
2018181302.tif 000005
【図３】
2018181302.tif 000006
【図４】
2018181302.tif 000007
【図５】
2018181302.tif 000008
【図６】
2018181302.tif 000009
【図７】
2018181302.tif 000010
【図８】
2018181302.tif 000011
【図９】
2018181302.tif 000012
【図１０】
2018181302.tif 000013
【図１１】
2018181302.tif 000014
【図１２】
2018181302.tif 000015
【図１３】
2018181302.tif 000016
【図１４】
2018181302.tif 000017
【図１５】
2018181302.tif 000018
【図１６】
2018181302.tif 000019